(57)【要約】      （修正有）【課題】テニス，バトミントンの張設されたガットの張力を簡単に計測するための測定装置を提供する。【解決手段】テニス，バトミントンのラケットに張設される経緯に張設されるガットの張力を計測するラケットのガットテンション測定装置であって、ラケットＲを水平位置に固定する支持手段Ａ、ラケットのガット表面に垂直方向に変動するガット面Ｇの変動を計測するガット変動計測手段Ｂ、ガット裏面より当接してガット裏面より押圧する半球状の押圧子１０を備えたガット面Ｇへの加圧力を加えるガット加圧手段Ｃ、とより成り、このガット加圧手段Ｃによる圧力変動に対応した前記ガット変動計測手段Ｂの変動量よりガットテンションの張力を計測して得ることを特徴とするラケットのガットテンション測定装置。【選択図】図１
0003144416.tif 000002
【実用新案登録請求の範囲】
【請求項１】
テニス，バトミントンのラケットに経緯に張設されるガットの張力を計測するラケットのガットテンション測定装置であって、
ラケットを水平位置に固定する支持手段と、ラケットのガット表面に垂直方向に変動するガット面の変動を計測するガット変動計測手段と、ガット裏面より当接してガット裏面より押圧する半球状の押圧子を備えたガットへの加圧力を加えるガット加圧手段、とより成り、
前記ガット加圧手段による圧力変動に対応した前記ガット変動計測手段の変動量よりガットテンションの張力を計測して得ることを特徴とするラケットのガットテンション測定装置。
【請求項２】
テニス，バトミントンのラケットに経緯に張設されるガットの張力を自動計測するラケットのガットテンション測定装置であって、
ラケットを水平位置に固定する支持手段と、ガット裏面より当接してガット裏面より押圧する半球状の押圧子を備えたガットへの加圧力を加えるガット加圧手段と、制御手段とより成り、
前記ガット加圧手段は、ステッピングモータと、該ステッピングモータにより変位されるジャッキと、該ジャッキと前記半球状の押圧子の間に設置されたロードセルユニットより構成され、
前記ガット加圧手段により前記押圧子がガットに押圧された際のステッピングモータの駆動パルス数に基づいて算出されたガットの変動量と、その際の前記ロードセルユニットにかかる荷重量から、前記制御手段が、ガットテンションの張力を自動計測して得ることを特徴とするラケットのガットテンション測定装置。
【考案の詳細な説明】
【技術分野】
【０００１】
この考案は、テニス，バトミントンに用いるラケットのガットテンション測定装置に関する。
【背景技術】
【０００２】
この種のラケットは、経緯に編成されたガットの反撥力ないしは張力の強弱に応じてプレーヤーより打ち出されるボールやシャトルコックのスピードが種々変化する。そして張設される糸の素材の種類や、枠体への組み込みにより最適と思われる引張力を以って、ガットが形成されるのが一般である。
【０００３】
初心者は格別影響を受けないが、上級者やプロにとっては、糸の素材を含めてガットの反撥力ないしは張力の大小は競技に大きく影響し、常にガットのテンションをプレーヤー自身の腕力，技術にとって最適な強さを維持する必要がある。
【０００４】
このガットテンションを計測するものとして、数多くの張力測定装置が知られている（例えば、特許文献１参照）。
【０００５】
さらに、超音波信号を利用してガットの張力を測定する装置も知られている（例えば、特許文献２参照）。
【特許文献１】特開平４−１６７２９号公報
【特許文献２】特開昭６１−６１０２７号公報
【考案の開示】
【考案が解決しようとする課題】
【０００６】
上述のいずれの特許文献記載の装置も、張力を計測するガット加圧手段のガット面に当接する部分は平坦であり、テニスボールやシャトルコックの形状を備えた押圧子を有せず、精度の高いガットテンションを計測できないという不都合が考慮される。
【０００７】
本考案は、叙上の点に着目して成されたもので、既に張設されたガットに対し、使用するテニスボールやシャトルコックの形状と近似した半球状の押圧子を配設して、ガット面に対して実際の使用状態を静的に再現して計測できるラケットのガットテンション測定装置を提供することを目的とする。
【課題を解決するための手段】
【０００８】
本考案は、以下の構成を備えることにより上記課題を解決できる。
【０００９】
（１）テニス，バトミントンのラケットに経緯に張設されるガットの張力を計測するラケットのガットテンション測定装置であって、ラケットを水平位置に固定する支持手段と、ラケットのガット表面に垂直方向に変動するガット面の変動を計測するガット変動計測手段と、ガット裏面より当接してガット裏面より押圧する半球状の押圧子を備えたガットへの加圧力を加えるガット加圧手段、とより成り、前記ガット加圧手段による圧力変動に対応した前記ガット変動計測手段の変動量よりガットテンションの張力を計測して得ることを特徴とするラケットのガットテンション測定装置。
【００１０】
（２）テニス，バトミントンのラケットに経緯に張設されるガットの張力を自動計測するラケットのガットテンション測定装置であって、ラケットを水平位置に固定する支持手段と、ガット裏面より当接してガット裏面より押圧する半球状の押圧子を備えたガットへの加圧力を加えるガット加圧手段と、制御手段とより成り、前記ガット加圧手段は、ステッピングモータと、該ステッピングモータにより変位されるジャッキと、該ジャッキと前記半球状の押圧子の間に設置されたロードセルユニットより構成され、前記ガット加圧手段により前記押圧子がガットに押圧された際のステッピングモータの駆動パルス数に基づいて算出されたガットの変動量と、その際の前記ロードセルユニットにかかる荷重量から、前記制御手段が、ガットテンションの張力を自動計測して得ることを特徴とするラケットのガットテンション測定装置。
【考案の効果】
【００１１】
本考案によれば、ガット張力は、静的荷重によるガット表面の変位量、即ち撓み量であるが、荷重力の大きさに応じて変位量が得られるので、荷重量と変位量とが、常に正確な数値として得られ、電子制御で行うことによりガット張力の強弱が連続的にグラフまたは数値として表示できる。
【００１２】
本考案によれば、ガット加圧手段のガットに当接する箇所は、半球状の押圧子によって行わせているので、実際のボールまたはシャトルコックと近似した状態を再現して静的計測でも動的計測に近いテンション張力を得ることができる。
【考案を実施するための最良の形態】
【００１３】
以下に本考案の実施例を説明する。
【実施例１】
【００１４】
この実施例は、所謂、手動方式のガットテンション測定装置を示す。
【００１５】
図面について説明する。１は直方体形のフレーム、２は前記フレーム１の上部に基端を固着した４本の吊りスプリングで、計測すべきラケットＲの４箇所をフック２ａで吊下させて、ガイドフレーム３上に載置されるラケットＲを吊り上げて、ラケット固定フレーム４の下側に弾性的に係止させる支持手段Ａを構成している。
【００１６】
５は、ラケットＲの略中心位置の垂直線上に配置されるガット変動計測手段Ｂに相当するダイヤルインジケータであって、ガット面Ｇに当接する接触部５１を備え、この接触部５１が上下することによりインジケータ５が、その量を指し示すと共に微調節が可能となっており、接触部５１が測定部にガット面Ｇと正確に載置した状態では、零位置を示すように調節できる。６はこのインジケータの取付杆を示す。
【００１７】
７は、前記ガット変動計測手段Ｂと相対向してラケットＲの支持手段Ａの下側に設けられる、ガット加圧手段Ｃのハカリ固定ブロックを示し、表示目盛を有する筒型の押しハカリ８を備え強力なテンション荷重に耐える構造を備え、図示ではパンタグラフ式ジャッキ９と組み合わせてある。なお前記押しハカリ８は、アナログ式の筒状押しハカリ８ａか、デジタルプッシュプルゲージ８ｂなどを用いることもできる（図３（ａ），（ｂ）参照）。
【００１８】
前者のアナログ式の筒状押しハカリ８ａは、コイルスプリングのテンションで計測するメカニカルな構成であり、後者のデジタルプッシュプルハカリ８ｂはロードセルにて荷重を計測し、電子回路で計算し数値表示する。
【００１９】
いずれにしろ、ジャッキ９に対し、ハカリ固定ブロック７が一体に組み込まれ、この押しハカリの先端には、テニスのボールやバトミントンのシャトルコックの球形に応じた半球状の押圧子１０を設け、ガットＧの裏面において前記ガット変動計測手段Ｂの接触子５１と相対向して当接させるものである。そして、前記押圧子１０はガットの加圧時の滑り防止のため、またガットの傷つき防止等のためサンドブラストした木またはアルミなどで頂部を構成するのが好ましい。
【００２０】
なおジャッキ９には、ジャッキ９を上下できるハンドル１１を備え、このハンドル１１を回転させて押しハカリ８を上下に移動させ、上行時にガットＧに対して半球状の押圧子１０により押圧し、ガットＧを撓ませ、その撓み量をガット変動計測手段Ｂのダイヤルインジケータ５により正確に表示できるものである。
【００２１】
なお、図において、１２はベースプレート、１３はハカリ固定ブロック７に固着されてジャッキ９の頭部に固定される直角板、１４はジャッキに設けられるロッドガイドで、ガイドロッド１５に沿って垂直方向への移動を可能にしている。１６はガイドロッド固定プレート、１７は下側のガイドロッド固定板を示す。
【００２２】
叙上の構成に基づいて作用を説明する。
【００２３】
始めに、測定するラケットＲを、フレーム１の挿入口部分に係入し、４本の吊りスプリング２のフック２ａに引掛けて、ラケットＲを吊り上げてラケット固定フレーム４の下側に弾性的に係止させる。
【００２４】
つぎに、上方のガット変動計測手段Ｂのダイヤルインジケータ５の接触部５１をガット表面Ｇに当接させて、インジケータ５の目盛を零位置に微調節する。
【００２５】
以上の操作後、下方に配置したガット加圧手段Ｃの筒型の押しハカリ８を働かせるが、押しハカリの先端に設けた半球状の押圧子１０をガット裏面Ｇに相対向に近接する。
【００２６】
ついで、ジャッキ９をハンドル１１で回転させて上行させ、ガット面Ｇを下方より押圧力を加える。荷重力はジャッキ９の働きで漸次上昇させて行くことができるが、この荷重力の大きさに応じてガット表面Ｇ上に載置させてある上方のガット変動計測手段Ｂのダイヤルインジケータ５は接触子５１の上行により撓み量が数値として示される。
【００２７】
荷重の大きさＫｇに対し、撓み量の大きさをｍｍとして示したのが図４の計測値である。
【００２８】
図４では二本の曲線が示されているが、Ｎｏ．１は糸の素材がポリエステルを用いたものであり、Ｎｏ．２はナイロンを用いたものを示している。いずれのガット面Ｇも、ガット面の中心部の網目の交差位置に押圧子の中心を押圧して計測したものである。
【００２９】
曲線の傾斜角が小さい程軟らかく、反対に大きい程硬いことが分かる。
【００３０】
即ち、ガットの引張力，反撥力の大きさが静的状態で計測でき、プレーヤーの技術力，技量に応じた強さのガットのラケットを簡単に計測してプレーヤーにとって好みのラケットを得ることができる。
【００３１】
なお、ガット面Ｇの加圧位置を網目の中心位置とするか網目の交差位置とするかによって数値が異なるが、その差は１０％以下であった。従って、同一箇所を計測し比較することが望ましい。
【００３２】
次に計測後、ラケットＲをフレーム１より外す時は逆の操作で簡単に行うことができる。
【実施例２】
【００３３】
実施例１は手動方式であるのに対し、この実施例２は自動制御方式である。
【００３４】
基本構成は実施例１と実質同一である。
【００３５】
図５，図６に全体の装置構成が示され、図７に電子回路のブロックダイヤグラムを示してある。
【００３６】
実施例１と同一構成，同一機能を有する箇所は同一符号を符し、説明の詳細を省く。
【００３７】
直方体形のフレーム１の上部には操作パネル１８が設けられ、この操作パネル１８には荷重表示器１９，撓み量表示器２０が隣接してあり、順次と電源ランプ２１，電源スイッチ２２，計測表示ランプ２３，計測スイッチ２４が並設してある。
【００３８】
ガット加圧手段Ｃは、一般ガット測定には高トルクステッピングモータを、また強力なガットテンション測定にはギヤユニット付ステッピングモータ２５よりジャッキ９を働かせて、このジャッキ９の頂部に設けられる押圧子１０を上行させて、ガット面Ｇに対して順次と圧力を加えさせることができるようになっている。
【００３９】
自動機の撓み量は、前記ステッピングモータ２５の駆動パルスを計数し、撓み量に変換し操作パネル１８上の撓み量表示器２０に逐一表示される。
【００４０】
併せてステッピングモータ２５の作動で働くジャッキ９上部の押圧子１０が取り付けられたロードセルにかかる荷重も、前記操作パネル１８上の荷重表示器１９に数値表示される。
【００４１】
なお、図において２６はテンション荷重を計測するロードセルユニット、２７はジャッキ９の垂直移動をガイドする角柱ガイド、２８，２９はスライドユニットである。強力ガットテンションの測定には、タイミングプーリー３０，３２，タイミングベルト３１により、ギヤ付ステッピングモータ２５の駆動力をジャッキ９に伝達する。また、一般ガットテンション測定には、高トルクステッピングモータにカップリングを接続し、駆動力をジャッキ９に直に伝達する。なお、図において３３はベアリング、３４はスラストベアリング、３５はスラストプレートを示す。
【００４２】
図７にはブロック回路図が示されているが、２６はロードセルユニットであり、操作パネル１８よりの電気信号や制御信号と共にコントロールボード３６のＣＰＵと結合されている。
【００４３】
そして、電源プラグ４０より供給される電力は、電源スイッチ２２の作動でスタンバイ状態を保持できる。
【００４４】
コントロールボード３６のＣＰＵによりドライバーを介してステッピングモータ２５が作動する。
【００４５】
この実施例２では、実施例１に配設されるガット変動計測手段Ｂを省略しているが、実施例１で示すガット変動計測手段Ｂのダイヤルインジケータ５に相当する変位量は、ステッピングモータの駆動パルス数を撓み量に変換し撓み量表示器２０に表示させることができる。
【００４６】
さらに、実施例２での作動制御はＣＰＵにより行わせているが、計測データは、装置本体のＣＰＵでの一時記憶の他、通信機能を利用し、プリンタやパソコンなどの周辺機器への転送が可能であることから、データのグラフ表示や保管も可能であるので、各プレーヤー毎の計測データの管理維持を確保してサービスを強化できる。
【図面の簡単な説明】
【００４７】
【図１】本考案に係るガットテンション測定装置の一実施例を示す手動式の場合の正面図
【図２】図１の右側面図
【図３】（ａ）アナログ式筒状押しハカリの正面図、（ｂ）デジタルプッシュプルハカリの正面図
【図４】計測データのグラフ
【図５】自動方式ガットテンション測定装置の正面図
【図６】図５の右側面図
【図７】図５および図６で示されるガットテンション測定装置の制御系ブロックダイヤグラム
【符号の説明】
【００４８】
１    直方体形のフレーム
２    スプリング
２ａ    フック
３    ガイドフレーム
４    ラケット固定フレーム
５    ダイヤルインジケータ
６    取付杆
７    ハカリ固定ブロック
８    押しハカリ
８ａ  筒状押しハカリ
８ｂ  デジタルプッシュプルハカリ
９    ジャッキ
１０    押圧子
１１    ハンドル
１２    ベースプレート
１３    直角板
１４    ロッドガイドで
１５    ガイドロッド
１６    ガイドロッド固定プレート（上）
１７    ガイドロッド固定プレート（下）
１８    操作パネル
１９    荷重表示器
２０    撓み量表示器
２１    電源ランプ
２２    電源スイッチ
２３    計測表示ランプ
２４    計測スイッチ
２５    ステッピングモータ
２６    ロードセルユニット
２７    角柱ガイド
２８，２９    スライドユニット
３０，３１，３２    タイミングプーリー，タイミングベルト
３３    ベアリング
３４    スラストベアリング
３５    スラストプレート
３６    コントロールボード
４０    電源プラグ
４１    ＡＣアダプター
５１    接触部
Ａ    支持手段
Ｂ    ガット変動計測手段
Ｃ    ガット加圧手段
Ｇ    ガット面
Ｒ    ラケット
【図１】
0003144416.tif 000003
【図２】
0003144416.tif 000004
【図３】
0003144416.tif 000005
【図４】
0003144416.tif 000006
【図５】
0003144416.tif 000007
【図６】
0003144416.tif 000008
【図７】
0003144416.tif 000009